(57)【要約】【課題】  透光性の点字鋲が複数装着された床用シート材において、光源からの光を床用シート材に設けられた点字鋲を通して出射させるにあたり、光源に電気を導くリード線が邪魔になったり、目立ったりすることがなく、リード線の配線や補修が簡単に行えると共に、光源の交換等も簡単に行えるようにする。【解決手段】  透光性の点字鋲12が複数装着された表面シート11と、表面シートに設けられた点字鋲12と対応する位置に光源20が設けられた下地シート14とを備え、光源20からの光を前記の点字鋲12を通して出射させるようにした床用シート材10において、下地シート14の上面に凹溝部15を設け、この凹溝部15内に光源20に電気を導くリード線21を収容させ、前記の各点字鋲12によって光源20を覆うようにして、表面シート11を下地シート14の上に装着させた。【選択図】  図４
2015129379.tif 000002
【特許請求の範囲】
【請求項１】
透光性の点字鋲が複数装着された表面シートと、表面シートに設けられた点字鋲と対応する位置に光源が設けられた下地シートとを備え、前記の光源からの光を前記の点字鋲を通して出射させるようにした床用シート材において、前記の下地シートに凹溝部を設け、この凹溝部に前記の光源に電気を導くリード線を収容させ、前記の各点字鋲によって前記の光源を覆うようにして、前記の表面シートを下地シートの上に装着させたことを特徴とする床用シート材。
【請求項２】
請求項１に記載した床用シート材において、底部に光源を収容させる収容部が設けられた透光性の点字鋲を用い、前記の凹溝部から突出するように設けられた前記の光源を点字鋲に設けられた収容部に収容させたことを特徴とする床用シート材。
【請求項３】
請求項２に記載した床用シート材において、前記の点字鋲の内面側に、前記の点光源から出射された光を点字鋲から斜め上方に集光させるレンズ部を設けたことを特徴する床用シート材。
【請求項４】
請求項１に記載した床用シート材において、透光性材料で構成された中実の点字鋲を用い、この点字鋲の下に前記の光源に配置させたことを特徴とする床用シート材。
【請求項５】
請求項１〜請求項４の何れか１項に記載した床用シート材において、前記の表面シートがタイルカーペットで構成され、このタイルカーペットに設けられた取付穴部に前記の点字鋲が着脱自在に装着されることを特徴とする床用シート材。
【請求項６】
請求項１〜請求項５の何れか１項に記載した床用シート材と、発電部を有する発電用シート材とを設け、この発電用シート材における発電部において発電された電気を、前記の床用シート材の下地シート材に設けた凹溝部内に収容されたリード線を通して前記の光源に導くことを特徴とする表示用床構造。
【請求項７】
請求項６に記載した表示用床構造において、前記の発電用シート材における発電部に、振動により発電する圧電素子を用いたことを特徴する表示用床構造。
【発明の詳細な説明】
【技術分野】
【０００１】
本発明は、複数の点字鋲が設けられた床用シート材に関するものである。特に、透光性の点字鋲が複数装着された表面シートと、表面シートに設けられた点字鋲と対応する位置に光源が設けられた下地シートとを備え、光源からの光を前記の点字鋲を通して出射させるようにした床用シート材において、下地シートに設けられた光源に電気を導くリード線が邪魔になったり、目立ったりすることがなく、リード線の配線や補修が簡単に行えると共に、光源の交換等も簡単に行え、さらに前記のリード線を通して床用シート材における光源に電気の供給させるにあたり、電源を用いて、必要に応じて適切に電気を供給できるようにした点に特徴を有するものである。
【背景技術】
【０００２】
従来から、目の不自由な人が進路情報等を適切に認識できるようにするため、横断歩道や駅のプラットホーム等に点字ブロックが設けられており、また病院やホテル等の建造物等においても、目の不自由な人が進路情報等を適切に認識できるようにするため、特許文献１，２等に示されるように、カーペット等の床用シート材に複数の点字鋲を設けたものが提案されている。
【０００３】
また、夜間等の暗い状態においても、点字ブロックにおける凸部を適切に認識できるようにするため、特許文献３〜５に示されるように、点字ブロックにおける凸部を透光性材料で構成し、この凸部の下にＬＥＤ等を用いた光源を設け、この光源からの光を、前記の凸部を通して出射させるようにしたものが提案されている。
【０００４】
しかし、特許文献３〜５に示されるものは、横断歩道や駅のプラットホーム等に設ける点字ブロックを対象とするものであり、このような点字ブロックにＬＥＤ等を用いた光源を設けることは困難で、コストが高く付くと共に、光源を交換することも煩雑であり、さらにこの光源に電気を供給させるリード線を配線させたり、配線されたリード線を補修したりすることも作業工数が増加し、時間を要すると共にメンテナンス費用も高くつく等の問題があった。
【０００５】
また、特許文献３においては、前記の光源に電気を供給する電源として、太陽電池と蓄電池とを備えた太陽光電源を、前記の光源と一緒に点字ブロックに収容させるようにしたものが示されている。
【０００６】
しかし、太陽電池と蓄電池とを備えた太陽光電源はコストが高く付くという問題があり、またこのように太陽光電源を点字ブロックに収容させた場合、蓄電池等が寿命になった場合に、太陽光電源を交換させる作業も非常に煩雑で、多くの時間を要するという問題があった。
【０００７】
なお、カーペット等の床用シート材に複数の点字鋲を設けるようにした特許文献１，２等に示されるものにおいては、点字鋲を通して光源からの光を出射させるようにすることについては示されていない。
【先行技術文献】
【特許文献】
【０００８】
【特許文献１】特許第３６３２９１６号公報
【特許文献２】特許第３８３０２７５号公報
【特許文献３】実用新案登録第２５９２４５６号公報
【特許文献４】実用新案登録第３１２２６２６号公報
【特許文献５】特開２００４−１３７８１４号公報
【発明の開示】
【発明が解決しようとする課題】
【０００９】
本発明は、透光性の点字鋲が複数装着された床用シート材において、光源からの光を床用シート材に設けられた点字鋲を通して出射させるにあたり、点字ブロックにおける凸部の下に設けた光源から、前記の凸部を通して光を出射させる場合における前記のような問題がないようにすることを課題とするものである。
【００１０】
すなわち、本発明においては、透光性の点字鋲が複数装着された表面シートと、表面シートに設けられた点字鋲と対応する位置に光源が設けられた下地シートとを備え、光源からの光を前記の点字鋲を通して出射させるようにした床用シート材において、下地シートに設けられた光源に電気を導くリード線が邪魔になったり、目立ったりすることがなく、リード線の配線や補修が簡単に行えると共に、光源の交換等も簡単に行え、さらに、前記のリード線を通して床用シート材における光源に電気を供給させるにあたり、安価な電源を用いて、必要に応じて適切に電気を供給できるようにすることを課題とするものである。
【課題を解決するための手段】
【００１１】
本発明に係る床用シート材においては、前記のような課題を解決するため、透光性の点字鋲が複数装着された表面シートと、表面シートに設けられた点字鋲と対応する位置に光源が設けられた下地シートとを備え、前記の光源からの光を前記の点字鋲を通して出射させるようにした床用シート材において、前記の下地シートに凹溝部を設け、この凹溝部に前記の光源に電気を導くリード線を収容させ、前記の各点字鋲によって前記の光源を覆うようにして、前記の表面シートを下地シートの上に装着させた。
【００１２】
このようにすると、前記の表面シートを下地シートの上から分離させた状態で、下地シートに光源を設けたり、下地シートに設けられた凹溝部内に、前記の光源に電気を導くリード線を収容させたりすることができ、リード線の配線や補修が簡単に行えると共に、光源の交換等も簡単に行え、またこのようにリード線を前記の凹溝部内に収容させた状態で、前記の表面シートを下地シートの上に装着させることにより、リード線が外部に露出して邪魔になったり、目立ったりするということもない。
【００１３】
ここで、前記の透光性の点字鋲として、底部に光源を収容させる収容部が設けられた透光性の点字鋲を用い、前記の光源を前記の凹溝部から突出するように設け、この光源を点字鋲に設けられた前記の収容部に収容させるようにすることができる。
【００１４】
また、このように点光源を透光性の点字鋲に設けられた収容部に収容させた場合において、光源から出射された光が点字鋲から離れた位置においても適切に視認されるようにするため、点字鋲の内面側に、光源から出射された光を点字鋲から斜め上方に集光させるレンズ部を設けることができる。
【００１５】
また、前記の透光性の点字鋲として、透光性材料で構成された中実の点字鋲を用い、この点字鋲の下に前記の光源を配置させるようにすることができる。なお、このように点字鋲の下に光源を配置させる場合、光源としては、ＬＥＤ等を用いた点光源の他に、有機エレクトロルミネッセンス素子（以下、有機ＥＬ素子と略す。）等を用いた面光源を設けるようにすることもできる。
【００１６】
ここで、本発明の床用シート材において、前記の表面シートとしては、床用シート材として一般に使用されている可撓性の樹脂タイルやカーペット等を用いることができる。特に、前記の点字鋲の周辺部が目立たないようにすると共に、取り扱いが容易で、部分的に交換させたり、適当に配置を変更させたりすることができるタイルカーペットを、表面シートとして用いることが好ましい。
【００１７】
一方、前記の下地シートの種類は特に限定されないが、十分な強度を有すると共に、適度のクッション性を有する樹脂シートやゴムシート等を用いることができる。
【００１８】
また、この下地シートにリード線を収容させる凹溝部を設けるにあたっては、この下地シートの上面に凹溝部を凹設させるようにする他、平坦な下地シート基材の上に、複数の溝形成用シート材を適当な隙間を介するようにして配置させ、溝形成用シート材間における隙間を凹溝部として利用することができる。なお、このように平坦な下地シート基材の上に、複数の溝形成用シート材を適当な隙間を介するように配置されて凹溝部を形成するようにした場合、溝形成用シート材を配置させる位置を変更させることにより、下地シートに設ける凹溝部の位置を簡単に変更させることができる。
【００１９】
また、本発明に係る表示用床構造においては、前記のような床用シート材と、発電部を有する発電用シート材とを設け、この発電用シート材における発電部において発電された電気を、前記の床用シート材の下地シートに設けた凹溝部内に収容されたリード線を通して前記の光源に導くようにした。
【００２０】
ここで、前記の発電用シート材における発電部においては、振動により発電する圧電素子を用いることが好ましい。このように振動により発電する圧電素子を用いると、太陽電池、蓄電池、商用電力などの外部電源が不要となり、装置全体を小形化することができ、また、外部電源からの配線も不要となるので、設置の自由度も飛躍的に向上する。そして、このように圧電素子を用いた発電用シート材の上に人が乗ると、その振動により前記の圧電素子において発電が行われ、発電された電気が前記のリード線を通して前記の床用シート材に設けられた光源に導かれるようになり、人が床用シート材に近づいた時に、床用シート材に設けられた光源からの光が前記の点字鋲を通して外部に出射されるようになる。
【発明の効果】
【００２１】
本発明における床用シート材においては、前記のように表面シートを下地シートの上から分離させた状態で、下地シートに光源を設けたり、下地シートに設けられた凹溝部内にリード線を収容させたりすることができ、リード線の配線や補修が簡単に行えると共に、光源の交換等も簡単に行え、また前記の表面シートを下地シートの上に装着させることにより、リード線が外部に露出して邪魔になったり、目立ったりするということもなくなる。
【００２２】
また、本発明における表示用床構造においては、発電部を内蔵させた発電用シート材を設け、この発電用シート材における発電部において発電された電気を、床用シート材の下地シートに設けた凹溝部内に収容されたリード線を通して光源に導くようにしたため、発電部において発電された電気により光源からの光が前記の点字鋲を通して外部に出射され、夜間等の暗い状態においても、点字鋲の存在を適切に視認できるようになる。
【００２３】
即ち、本発明の点字鋲においては、歩行する視覚障害者が、その靴裏で点字鋲に触れて足裏の触感によりその存在を確認することと、点字鋲を通して外部に出射された光によって点字鋲の存在を確認することを合わせて行うことができ、自己の歩行経路を判断し、あるいは所定の警告を認知することにより、歩行の安全を確保することができるものである。特に、視覚障害者の中でも弱視者に対して視覚により誘導方向あるいは警告を認知させる機能を併せもつものである。
【図面の簡単な説明】
【００２４】
【図１】本発明の実施形態１に係る床用シート材において、タイルカーペットからなる表面シートに、底部に光源を収容させる収容部が設けられた透光性の点字鋲を複数装着させた状態を示し、（Ａ）は概略平面図、（Ｂ）は部分断面説明図である。
【図２】前記の実施形態１に係る床用シート材において、下地シートの上面に凹設させた凹溝部内にリード線を収容させたガイド部材を設けると共に、表面シートに設けた前記の点字鋲に対応させて、このガイド部材の上面に光源を凹溝部から突出するように設けた状態を示し、（Ａ）は概略平面図、（Ｂ）は断面説明図である。
【図３】前記の実施形態１に係る床用シート材において、平坦な下地シート基材の上に、複数の溝形成用シート材を適当に配置させて、下地シートの上面に凹溝部を形成する状態を示し、（Ａ）は概略平面図、（Ｂ）は断面説明図である。
【図４】前記の実施形態１に係る床用シート材において、下地シートにおける凹溝部から突出して設けられた各光源を、表面シートに設けられた各点字鋲における収容部に収容させるようにして、表面シートを下地シートの上にセットした状態を示し、（Ａ）は概略平面図、（Ｂ）は部分断面説明図である。
【図５】前記の実施形態１に係る床用シート材と隣接するようにして発電部を有する発電用シート材を設け、床用シート材における下地シートから延出されたリード線を発電用シート材の発電部に接続させた状態を、床用シート材と発電用シート材の一部を裁断して示した概略平面図である。
【図６】前記の実施形態１に係る床用シート材において、底部に光源を収容させる収容部が設けられた点字鋲の内面側に、光源から出射された光を点字鋲から斜め上方に集光させるレンズ部を設けた状態を示した部分断面説明図である。
【図７】本発明の実施形態２に係る床用シート材において、タイルカーペットからなる表面シートに、透光性材料で構成された中実の点字鋲を複数装着させた状態を示した部分断面説明図である。
【図８】前記の実施形態２に係る床用シート材において、下地シートの上面に凹設させた凹溝部内にリード線を収容させたガイド部材を設けると共に、表面シートに設けた前記の点字鋲に対応させて、このガイド部材の上面に光源を設けた状態を示し、（Ａ）は概略平面図、（Ｂ）は断面説明図である。
【図９】前記の実施形態２に係る床用シート材において、下地シートにおけるガイド部材の上面に設けた各光源の上に、表面シートに設けた各点字鋲を接触させるようにして、表面シートを下地シートの上にセットした状態を示し、（Ａ）は概略平面図、（Ｂ）は部分断面説明図である。
【図１０】前記の実施形態２に係る床用シート材において使用する光源を変更させた変更例を示し、（Ａ）は下地シートの上面に凹設させた凹溝部内に収容させたガイド部材の上面に面光源を設けた状態を示した断面説明図、（Ｂ）は下地シートにおけるガイド部材の上面に設けた面光源の上に、表面シートに設けた点字鋲を接触させるようにして、表面シートを下地シートの上にセットした状態を示した断面説明図である。
【発明を実施するための最良の形態】
【００２５】
以下、この発明の実施形態に係る床用シート材及び表示用床構造を添付図面に基づいて具体的に説明する。なお、この発明に係る床用シート材及び表示用床構造は、特に下記の実施形態に示したものに限定されるものではなく、その要旨を変更しない範囲において適宜変更して実施できるものである。
【００２６】
（実施形態１）
この実施形態に係る床用シート材１０Ａにおいては、図１（Ａ），（Ｂ）に示すように、表面シート１１の所定の位置において、横方向ｘと縦方向ｙにそれぞれ所要間隔を介するようにして複数の取付孔１３を、この表面シート１１を貫通するように設け、各取付孔１３にそれぞれ透光性の点字鋲１２を着脱可能に装着させるようにした。
【００２７】
ここで、この実施形態においては、前記の表面シート１１として、基布１１ａの表面にパイル１１ｂが植設されると共にその裏面に裏打ち材１１ｃが設けられて、所定大きさの矩形状になったタイルカーペット１１を用いるようにした。但し、使用する表面シート１１は、このようなタイルカーペット１１に限定されず、ポリ塩化ビニル樹脂、ポリエチレン樹脂、エチレン−ビニル共重合樹脂等の熱可塑性樹脂で構成された可撓性の樹脂タイル等、従来から一般に使用されているものを用いることができる。また、タイルカーペット１１や熱可塑性樹脂製の床材は、踏みつけられることを前提に設計されているので、強度と柔軟性を併せ持ち、圧力の付与によって破壊され難い。このため、床用シート材１０は、別途、保護部材などを設けることなく、表面シート１１によって、内部の光源１０、リード線２１などを適切に保護することができる。特に、タイルカーペット１１は、表面のパイル１１ｂによって、優れた耐衝撃性を発揮することができるので好適である。
【００２８】
また、この実施形態においては、前記の透光性の点字鋲１２として、平面形状が円形状であって、底部に光源１０を収容させる収容部１２１が設けられた点字鋲１２Ａを用いるようにした。
【００２９】
一方、前記の表面シート１１の下に設ける下地シート１４としては、前記の表面シート１１と同じ大きさの矩形状になった樹脂シートやゴムシート等を用い、この下地シート１４の上面に、光源２０に電気を導くリード線２１を収容させる凹溝部１５を設けるようにした。
【００３０】
ここで、この実施形態においては、下地シート１４の上面に凹溝部１５を設けるにあたり、図２（Ａ），（Ｂ）に示すように、前記の表面シート１１に設けられた点字鋲１２の縦方向ｙの列に対応するようにして、その一端側から縦方向ｙに延びた第１凹溝部１５ａを、横方向ｘに所要間隔を介するようにして複数設け、各第１凹溝部１５ａ内にそれぞれリード線２１を収容させたガイド部材２２を設けるようにした。
【００３１】
なお、この実施形態においては、下地シート１４の上面に凹溝部１５を設ける構成になっているので、下地シート１４が一体で形成されており、構造が簡単で作りやすい構成となっている。また、一体構成の為に、耐久性も高い。
【００３２】
また、光源２０として、ＬＥＤ等を用いたチップ型の点光源２０Ａを使用し、表面シート１１に設けた各点字鋲１２に対応するようにして、前記の各ガイド部材２２の上に、前記の点光源２０Ａをそれぞれ前記の第１凹溝部１５ａから上方に突出するようにして複数設けた。なお、点光源２０Ａは、点字鋲１２からの距離によって、出射する光量が異なるので、最適な位置に設けることが好ましい。また、点光源２０Ａを第１凹溝部１５ａから上方に突出するように設けることによって、外部により多くの光を照射できるので、歩行者が点字鋲をより視認しやすくなり、注意喚起効果を高めることができる。
【００３３】
また、前記の下地シート１４の上面に、前記の各第１凹溝部１５ａの端部を連通させる第２凹溝部１５ｂを設け、この第２凹溝部１５ｂ内に前記の各ガイド部材２２から延出されたリード線２１を導くと共に、この第２凹溝部１５ｂから前記の下地シート１４の他端側に伸びた第３凹溝部１５ｃを設け、前記の第２凹溝部１５ｂ内に導かれたリード線を、この第３凹溝部１５ｃを通して下地シート１４の他端側から延出させるようにした。
【００３４】
また、前記のように下地シート１４の上面に凹溝部１５を形成するにあたっては、図３（Ａ），（Ｂ）に示すように、平坦な下地シート基材１４ａの上に、複数の溝形成用シート材１４ｂを適当な間隔を介するようにして配置させ、溝形成用シート材１４ｂ間の隙間によって、前記の各凹溝部１５（１５ａ〜１５ｃ）を形成することも可能である。このようにした場合においては、複数の溝形成用シート材１４ｂを点光源２０Ａの配置に応じて配置することができるので、配線の自由度が高くなる。
【００３５】
そして、この実施形態の床用シート材１０Ａにおいては、図４（Ａ），（Ｂ）に示すように、前記のように各第１凹溝部１５ａから突出するようにして設けられた各点光源２０Ａを、表面シート１１に設けられた前記の各点字鋲１２の収容部１２１に収容させるようにして、表面シート１１を下地シート１４の上にセットするようにした。
【００３６】
このようにすると、表面シート１１を下地シート１４の上から分離させた状態で、前記のように下地シート１４に点光源２０Ａを設けたり、下地シート１４に設けられた凹溝部１５内にリード線２１を収容させたりすることができ、リード線２１の配線や補修が簡単に行えると共に、点光源２０Ａを交換する作業等も簡単に行えるようになり、また表面シート１１を下地シート１４の上に装着させることにより、リード線２１が外部に露出して邪魔になったり、目立ったりするということもなくなる。
【００３７】
また、この実施形態の床用シート材１０Ａにおいて、前記の点光源２０Ａを発光させて、前記の点字鋲１２Ａを通して光を出射させるにあたっては、図５に示すように、発電部３１を有する発電用シート材３０を、前記の床用シート材１０Ａと隣接するように設け、前記の下地シート１４における第３凹溝部１５ｃから延出されたリード線２１を、この発電用シート材３０の発電部３１に接続させ、この発電部３１において発電された電気を前記のリード線２１を通して各点光源２０Ａに導くようにした。
【００３８】
ここで、この実施形態においては、前記の発電用シート材３０における発電部３１に、振動により発電する圧電素子を用いるようにした。このような発電部３１としては、例えば、特開２０１１−１５３４６９号公報に記載のものを用いることができる。
【００３９】
このように、発電用シート材３０における発電部３１に圧電素子を用いると、この発電用シート材３０の上に人が乗ると、その振動により前記の発電部３１における圧電素子において発電が行われ、このように発電された電気が前記のようにリード線２１を通して各点光源２０Ａに導かれて、各点光源２０Ａが発光し、各点光源２０Ａからの光が透光性の各点字鋲１２Ａを通して外部に出射されるようになる。
【００４０】
この結果、夜間等の暗い状態においても、前記の床用シート材１０Ａに近づくだけで、床用シート材１０Ａにおける点字鋲１２Ａを通して光が出射され、これにより点字鋲１２Ａの存在を適切に視認できるようになる。
【００４１】
このように、本発明の表示用床構造は、商用電源などの外部電源ではなく、発電用シート材３０からの電力を用いて点字鋲１２を点灯させるので、災害などによる停電時であっても、常に、警告、誘導などを行うことができる。
【００４２】
また、前記のようなＬＥＤを用いた点光源２０Ａにおいて、発光色が異なるＬＥＤを用いた複数の種類の点光源２０Ａを使用し、各点字鋲１２Ａを通して出射される光の色彩を適当に変更させて、意匠的効果や注意喚起効果を高めることもできる。
【００４３】
なお、図６に示すように、収容部１２１が大きくなった中空状の点字鋲１２Ａを用いると共に、柱状になった点光源２０Ｂを用いた場合において、この点光源２０Ｂから出射された光が、この点字鋲１２Ａから離れた位置においても適切に視認されるようにするため、中空状になった点字鋲１２Ａの内面側に、点光源２０Ｂから出射された光を点字鋲１２Ａから斜め上方に集光させるレンズ部１２２を設けることもできる。
【００４４】
（実施形態２）
この実施形態に係る床用シート材１０Ｂにおいても、前記の実施形態１の床用シート材１０Ａと同様に、図１（Ａ）に示すように、表面シート１１の所定の位置において、横方向ｘと縦方向ｙにそれぞれ所要間隔を介するようにして複数の取付孔１３を、この表面シート１１を貫通するようにして設け、各取付孔１３にそれぞれ透光性の点字鋲１２を着脱可能に装着させるようにした。
【００４５】
ここで、この実施形態においては、図７に示すように、前記の透光性の点字鋲１２として、平面形状が円形状であって、透光性材料で構成された中実の点字鋲１２Ｂを用いるようにした。
【００４６】
そして、この実施形態においても、前記の実施形態１の場合と同様に、下地シート１４の上面に凹溝部１５を設けるにあたり、図８（Ａ），（Ｂ）に示すように、前記の表面シート１１に設けられた点字鋲１２の縦方向ｙの列に対応するようにして、その一端側から縦方向ｙに延びた第１凹溝部１５ａを、横方向ｘに所要間隔を介するようにして複数設け、各第１凹溝部１５ａ内にそれぞれリード線２１を収容させたガイド部材２２を設けるようにした。
【００４７】
そして、この実施形態においては、光源２０として、前記の実施形態１の場合と同じチップ型の点光源２０Ａを使用し、表面シート１１に設けた各点字鋲１２に対応するようにして、前記の各ガイド部材２２の上面に設ける一方、この点光源２０Ａを、各ガイド部材２２と一緒に前記の第１凹溝部１５ａ内に収容させるようにした。
【００４８】
また、この実施形態においても、前記の実施形態１の場合と同様に、下地シート１４の上面に、前記の各第１凹溝部１５ａの端部を連通させる第２凹溝部１５ｂを設け、この第２凹溝部１５ｂ内に前記の各ガイド部材２２から延出されたリード線２１を導くと共に、この第２凹溝部１５ｂから前記の下地シート１４の他端側に伸びた第３凹溝部１５ｃを設け、前記の第２凹溝部１５ｂ内に導かれたリード線を、この第３凹溝部１５ｃを通して下地シート１４の他端側から延出させるようにした。なお、この実施形態においても、下地シート１４の上面に凹溝部１５を形成するにあたって、前記の実施形態１と同様に、平坦な下地シート基材１４ａの上に、複数の溝形成用シート材１４ｂを適当な間隔を介するようにして配置させ、溝形成用シート材１４ｂ間の隙間によって、前記の各凹溝部１５（１５ａ〜１５ｃ）を形成することも可能である。
【００４９】
そして、この実施形態の床用シート材１０Ｂにおいては、図９（Ａ），（Ｂ）に示すように、前記のように各ガイド部材２２の上面に設けた点光源２０Ａの上に、前記の表面シート１１に設けた透光性材料で構成された中実の各点字鋲１２Ｂを接触させるようにして、表面シート１１を下地シート１４の上にセットさせた。
【００５０】
このようにすると、前記の実施形態１の場合と同様に、表面シート１１を下地シート１４の上から分離させた状態で、前記のように下地シート１４に各点光源２０Ａを設けたり、下地シート１４に設けられた凹溝部１５内にリード線２１を収容させたりすることができ、リード線２１の配線や補修が簡単に行えると共に、点光源２０Ａを交換する作業等も簡単に行えるようになり、また表面シート１１を下地シート１４の上に装着させることにより、リード線２１が外部に露出して邪魔になったり、目立ったりするということもなくなる。
【００５１】
また、この実施形態の床用シート材１０Ｂにおいて、前記の点光源２０Ａを発光させて、前記の点字鋲１２Ｂを通して光を出射させるにあたっては、図示していないが、前記の実施形態１の場合と同様に、振動により発電する圧電素子を用いた発電部３１を有する発電用シート材３０を、前記の床用シート材１０Ｂと隣接するように設け、前記の下地シート１４における第３凹溝部１５ｃから延出されたリード線２１を、この発電用シート材３０の発電部３１に接続させ、この発電部３１において発電された電気を前記のリード線２１を通して各点光源２０Ａに導くようにすることができる。
【００５２】
そして、このように発電部３１において発電された電気を点光源２０Ａに導いて、点光源２０Ａを発光させた場合、透光性材料で構成された中実の点字鋲１２Ｂが点光源２０Ａと接触して設けられているため、点光源２０Ａからの光が、中実の点字鋲１２Ｂ内に効率よく導かれて出射されるようになり、夜間等の暗い状態においても、床用シート材１０Ｂにおける点字鋲１２Ｂの存在を適切に視認できるようになる。
【００５３】
また、この実施形態においても、発光色が異なるＬＥＤを用いた複数の種類の点光源２０Ａを使用し、各点字鋲１２Ｂを通して出射される光の色彩を適当に変更させて、意匠的効果や注意喚起効果を高めることもできる。
【００５４】
なお、この実施形態においては、光源２０として、前記の実施形態１の場合と同じチップ型の点光源２０Ａを使用したが、光源２０として、図１０（Ａ），（Ｂ）に示すように、有機ＥＬ素子を用いた面光源２０Ｃを使用し、表面シート１１に設けた各点字鋲１２に対応するようにして、前記の各ガイド部材２２の上面に、前記の面光源２０Ｃを複数設けるようにすることもできる。
【００５５】
そして、このように各ガイド部材２２の上面に設けた面光源２０Ｃの上に、前記の表面シート１１に設けた透光性材料で構成された中実の各点字鋲１２Ｂを接触させるようにして、表面シート１１を下地シート１４の上にセットさせ、この面光源２０Ｃからの光を、中実の点字鋲１２Ｂを通して出射させるようにすることができる。
【００５６】
また、このように有機ＥＬ素子を用いた面光源２０Ｃにおいて、発光色が異なる有機ＥＬ素子を用いた複数の種類の面光源２０Ｃを使用し、各点字鋲１２Ｂを通して出射される光の色彩を適当に変更させて、意匠的効果や注意喚起効果を高めることもできる。
【符号の説明】
【００５７】
１０Ａ，１０Ｂ  床用シート材
１１  表面シート（タイルカーペット）、１１ａ  基布、１１ｂ  パイル、１１ｃ  裏打ち材
１２，１２Ａ，１２Ｂ  点字鋲、１２１  レンズ部
１３  取付孔
１４  下地シート、１４ａ  下地シート基材、１４ｂ  溝形成用シート材
１５，１５ａ，１５ｂ，１５ｃ  凹溝部
２０  光源、２０Ａ，２０Ｂ  点光源、２０Ｃ  面光源
２１  リード線
２２  ガイド部材
３０  発電用シート材
３１  発電部
【図６】
2015129379.tif 000003
【図７】
2015129379.tif 000004
【図１０】
2015129379.tif 000005
【図１】
2015129379.tif 000006
【図２】
2015129379.tif 000007
【図３】
2015129379.tif 000008
【図４】
2015129379.tif 000009
【図５】
2015129379.tif 000010
【図８】
2015129379.tif 000011
【図９】
2015129379.tif 000012